(57)【要約】【課題】カバーの挿入、抜き取り動作によって構造が変形したとしても元の構造に復帰すると共に、カバーの挿入、抜き取り動作がしやすい留め具付カバーを提供する。【解決手段】留め具付カバー１は、所定の機器に設けられた孔を覆う留め具付カバー１であって、機器に予め設けられた開口に挿入され、外方向に延伸する腕部１４を有するループ部１１と、ループ部１１の開口に挿入される側の反対側に設けられ、孔を覆うカバー部１２とを備える。【選択図】図１
2014204060.tif 000002
【特許請求の範囲】
【請求項１】
機器に設けられた孔を覆う留め具付カバーであって、
前記機器に予め設けられた開口に挿入され、外方向に延伸する腕部を有するループ部と、
前記ループ部の前記開口に挿入される側の反対側に設けられ、前記孔を覆うカバー部と
を備える
ことを特徴とする留め具付カバー。
【請求項２】
請求項１に記載の留め具付カバーであって、
前記ループ部は、前記カバー部の側から伸びる第１本体部と、前記第１本体部から離れた位置から伸びる第２本体部と、前記第１本体部と前記第２本体部とを連結する先端部とを有する
ことを特徴とする留め具付カバー。
【請求項３】
請求項２に記載の留め具付カバーであって、
前記ループ部と前記腕部とのなす角は、９０°以下である
ことを特徴とする留め具付カバー。
【請求項４】
請求項３に記載の留め具付カバーであって、
前記第１本体部の幅と、前記第２本体部の幅と、前記腕部の端部から前記ループ部までの距離との合計は、前記機器の前記開口の幅以下である
ことを特徴とする留め具付カバー。
【請求項５】
請求項２〜４のいずれか１項に記載の留め具付カバーであって、
前記先端部は、平面視にて円弧形状、Ｍ字形状、又は凹み形状を有して形成される
ことを特徴とする留め具付カバー。
【請求項６】
請求項２〜４のいずれか１項に記載の留め具付カバーであって、
前記腕部の脇部から前記先端部の対向する位置の部分までの距離は、前記機器の前記開口の幅と同等である
ことを特徴とする留め具付カバー。
【請求項７】
請求項１〜６のいずれか１項に記載の留め具付カバーであって、
前記ループ部は、前記機器の前記開口に前記ループ部が挿入された場合、前記留め具付カバーを前記機器に固定するロック部を有する
ことを特徴とする留め具付カバー。
【請求項８】
請求項１〜７のいずれか１項に記載の留め具付カバーであって、
前記ループ部と前記カバー部とは、一体成型により形成される
ことを特徴とする留め具付カバー。
【請求項９】
請求項１〜８のいずれか１項に記載の留め具付カバーであって、
前記所定の機器の前記孔は、記憶媒体が挿入されるメディア挿入孔である
ことを特徴とする留め具付カバー。
【請求項１０】
請求項１〜９のいずれか１項に記載の留め具付カバーを備えた機器。
【発明の詳細な説明】
【技術分野】
【０００１】
本発明は、留め具付カバー及び留め具付カバーを備えた機器に関する。
【背景技術】
【０００２】
従来、開閉蓋の端部両側面に突出した回動軸と、回動軸を保持する回動保持部と、筐体側に設けられた軸受け機構とを含み、軸受け機構が、筐体開口部の側壁に設けられると共に回動軸の周囲に十分に広い間隙が設けられた軸受け用の貫通孔で構成される軸受け部と、軸受け部に張り出して設けられる突出部とを含み、開閉蓋が開かれる際に、回動軸が軸受け部内を回動すると共に回動軸周囲を自在に移動し、開閉蓋の開度が増加するに伴い、回動保持部が突出部の水平面によって固定される開閉蓋用の軸及び軸受け構造が知られている（例えば、特許文献１参照。）。特許文献１に記載の開閉蓋用の軸及び軸受け構造によれば、筐体に設けられた開口部と開閉蓋との気密性を高めることができる。
【先行技術文献】
【特許文献】
【０００３】
【特許文献１】特開２０１２−２３８６７５号公報
【発明の概要】
【発明が解決しようとする課題】
【０００４】
しかし、特許文献１に記載されているような開閉蓋用の軸及び軸受け構造においては、開閉蓋の開閉に伴い爪部分が変形して再利用できなくなる場合がある。
【０００５】
したがって、本発明の目的は、カバーの挿入、抜き取り動作によって構造が変形したとしても元の構造に復帰すると共に、カバーの挿入、抜き取り動作がしやすい留め具付カバー、及び留め具付カバーを備えた機器を提供することにある。
【課題を解決するための手段】
【０００６】
本発明は、上記目的を達成するため、機器に設けられた孔を覆う留め具付カバーであって、前記機器に予め設けられた開口に挿入され、外方向に延伸する腕部を有するループ部と、前記ループ部の開口に挿入される側の反対側に設けられ、前記孔を覆うカバー部とを備える留め具付カバーを備えた機器が提供される。
前記ループ部は、前記カバー部の側から伸びる第１本体部と、前記第１本体部から離れた位置から伸びる第２本体部と、前記第１本体部と前記第２本体部とを連結する先端部とを有してもよい。
前記ループ部と前記腕部とのなす角は、９０°以下であるのが好ましい。
前記第１本体部の幅と、前記第２本体部の幅と、前記腕部の端部から前記ループ部までの距離との合計は、前記機器の前記開口の幅以下であるのが好ましい。
前記先端部は、平面視にて円弧形状、Ｍ字形状、又は凹み形状を有して形成することができる。
前記腕部の脇部から前記先端部の対向する位置の部分までの距離は、前記機器の前記開口の幅と同等であるのが好ましい。
前記ループ部は、前記機器の前記開口に前記ループ部が挿入された場合、前記留め具付カバーを前記機器に固定するロック部を有してもよい。
前記ループ部と前記カバー部とは、一体成型により形成することができる。
前記所定の機器の前記孔は、記憶媒体が挿入されるメディア挿入孔であってもよい。
前記留め具付カバーを備えた機器も本願発明に含まれる。
【発明の効果】
【０００７】
本発明に係る留め具付カバーによれば、カバーの挿入、抜き取り動作によって構造が変形したとしても元の構造に復帰すると共に、カバーの挿入、抜き取り動作がしやすい留め具付カバー及びそのような留め具付カバーを備えた機器を提供できる。
【図面の簡単な説明】
【０００８】
【図１】（ａ）は本実施の形態に係る留め具付カバーの平面図であり、（ｂ）は本実施の形態に係る留め具付カバーの側面図である。
【図２】本実施の形態に係る留め具付カバーを所定の機器の開口に挿入する場合におけるループ部の形状の変化を示す図である。
【図３】本実施の形態に係る留め具付カバーを所定の機器の開口から抜き取るプロセスを示す図である。
【図４】本実施の形態に係る留め具付カバーを所定の機器の開口から抜き取るプロセスを示す図である。
【図５】本実施の形態に係る留め具付カバーの各部の寸法の関係図である。
【図６】本実施の形態に係る留め具付カバーを用いたカーナビゲーション装置を示す図である。
【図７】本実施の形態の変形例に係る留め具付カバーの平面図である。
【図８】本実施の形態の更に他の変形例に係る留め具付カバーの斜視図である。
【図９】本実施の形態の更に他の変形例に係る留め具付カバーの斜視図である。
【発明を実施するための形態】
【０００９】
［実施の形態］
図１（ａ）は、本発明の実施の形態に係る留め具付カバーの平面図の一例を示し、図１（ｂ）は、本発明の実施の形態に係る留め具付カバーの側面図の一例を示す。
【００１０】
（留め具付カバー１の概要）
本実施の形態に係る留め具付カバー１は、スマートフォンを含む携帯電話機、デジタルカメラ、パーソナルコンピュータ、テレビやＤＶＤプレーヤー等の家電機器、ＡＶ機器、カーナビゲーション装置、及び車載用ＡＶ機器等の各種電子機器に設けられている孔を覆うカバーである。例えば、留め具付カバー１は、所定の電子機器に設けられている磁気記憶媒体、又は光学記憶媒体等の記憶媒体が挿入される孔であるメディア挿入孔を覆うことで、当該メディア挿入孔を保護する。
【００１１】
具体的に、留め具付カバー１は、所定の機器に予め設けられた開口に挿入され、外方向に延伸する腕部１４を外側に有すると共に内側に空間１８を含むループ部１１と、ループ部１１の機器に挿入される側の反対側の端部に設けられるカバー部２０とを備える。
【００１２】
（留め具付カバー１の構成）
より具体的に、留め具付カバー１は、所定の機器が有するメディア挿入孔を覆うカバー部２０と、所定の機器に設けられた開口に挿入されるループ部１１とを備える。そして、ループ部１１は、カバー部２０の側から本体部１０と先端部１２とを有すると共に、先端部１２と本体部１０との間に腕部１４を有する。ここで、ループ部１１は、弾性を有する材料を用いて形成される。一例として、留め具付カバー１がカーナビゲーション装置に設けられたメディア挿入孔を保護する場合、ループ部１１のカバー部２０からの高さＨは１０〜２０ｍｍであり、本体部１０の幅Ｄ１は３〜８ｍｍである。また、ループ部１１の厚さｔは０．５〜２ｍｍであり、カバー部２０の幅Ｄ２は５〜２０ｍｍである。なお、留め具付カバー１の各部の寸法はこれらに限られず、所定の機器に応じて適宜変更することができる。
【００１３】
（本体部１０）
本体部１０は、カバー部２０から伸びる第１本体部１０ａと、第１本体部１０ａから離れた位置（例えば、２〜４ｍｍ離れた位置）から第１本体部１０ａと同様に伸びる第２本体部１０ｂとを含んで構成される。第１本体部１０ａ及び第２本体部１０ｂはそれぞれ、カバー部２０の表面の法線方向に沿って伸びており、カバー部２０の表面から多少離れた位置（例えば、７〜８ｍｍ）から徐々に近づく方向に傾斜する。そして、先端部１２は、第１本体部１０ａと第２本体部１０ｂとを連結する。
【００１４】
（先端部１２）
本実施の形態に係る先端部１２は、平面視にて円弧形状を一部に有して構成される。先端部１２が円弧形状を有することにより、所定の機器に設けられた開口にループ部１１を容易に挿入することができる。また、円弧形状の先端部１２は、先端部１２に加わる圧力を分散させることができるので、先端部１２の破損や損傷を抑制できる。
【００１５】
（腕部１４）
腕部１４は、先端部１２と本体部１０との境目付近から外方向に延伸して設けられる。本実施の形態に係る留め具付カバー１においては、ループ部１１は２本の腕部１４を有する。２本の腕部１４はそれぞれ、平面視におけるループ部１１の中心軸２００を対称軸として互いに対称の位置に設けられる。なお、腕部１４の長さは、留め具付カバー１が用いられる所定の機器に予め設けられている開口の幅に応じて決定される。
【００１６】
また、腕部１４は、ループ部１１の本体部１０に対して傾斜して設けられる。本体部１０と腕部１４とのなす角（すなわち、図１（ａ）における脇部１４４における角度）は予め定められた角度θに設定される。例えば、当該角度θは９０°以下に設定される。また、腕部１４は、平面視にて、本体部１０から離れた側に設けられる端部１４０と端部１４０より本体部１０に近い位置に設けられ、予め定められた曲率半径の円弧部分を有する湾曲部１４２とを含む。
【００１７】
（ロック部１６）
ループ部１１の本体部１０は、カバー部２０から離れた位置（例えば、１〜３ｍｍ離れた位置）に本体部１０の表面から外方向に突き出るロック部１６を有する。すなわち、第１本体部１０ａ及び第２本体部１０ｂそれぞれにロック部１６は設けられる。ロック部１６は、所定の機器の開口にループ部１１が挿入された場合、留め具付カバー１を当該機器に固定する。また、カバー部２０のループ部１１側表面からロック部１６までの距離は、留め具付カバー１が挿入される開口が設けられた所定の電子機器の壁の厚さに応じて決定される。本実施の形態においてロック部１６は、中心軸２００を対称軸として互いに対称の位置に設けられる。
【００１８】
（カバー部２０）
カバー部２０は、所定の電子機器に設けられているメディア挿入孔を覆う形状を有して形成される。また、カバー部２０は、ループ部１１が設けられている側にカバーロック部２２を有する。カバーロック部２２は、ループ部１１が所定の電子機器の開口に挿入された後、当該電子機器に予め設けられたカバーロック部２２用の開口に挿入されることで、留め具付カバー１を当該電子機器に最終的に固定する。
【００１９】
なお、留め具付カバー１は、弾性を有する材料から構成することができる。弾性を有する材料としては、プラスチック、エラストマー、又はウレタン等の高分子樹脂材料を用いることができる。また、ループ部１１とカバー部２０とは一体成型により製造することができる。ただし、ループ部１１とカバー部２０とを互いに異なる材料で形成する場合、二色成型により留め具付カバー１を製造することもできる。
【００２０】
（留め具付カバー１の使用方法）
図２は、本実施の形態に係る留め具付カバーを所定の機器の開口に挿入する場合におけるループ部の形状の変化の一例を示す。
【００２１】
（留め具付カバー１の挿入動作）
図２（ａ）に示すように、留め具付カバー１を所定の機器の壁部３０に設けられた開口３００に挿入する場合を説明する。まず、図２（ｂ）に示すように、先端部１２から開口３００に向けて留め具付カバー１を挿入すると、ループ部１１（すなわち、本体部１０及び先端部１２）は弾性を有すると共に内側に空間１８を含んでいるので、開口３００の幅の大きさに応じて変形する。これにより、腕部１４が開口３００の幅の大きさに応じて内側に圧縮乃至畳み込まれる。ループ部１１は弾性を有しているので、開口へのループ部１１の挿入によりループ部１１は塑性変形しない。
【００２２】
そして、ループ部１１を開口に向けて更に挿入すると、図２（ｃ）に示すように、ループ部１１は開口に全て挿入される。そして、留め具付カバー１は、ロック部１６によって壁部３０に固定される。この場合において、先端部１２は弾性を有するので圧縮乃至畳み込まれる前の形状に復帰し、腕部１４が外方向に開いた形状に復帰する。
【００２３】
腕部１４は本体部１０に対して外方向に開いている。したがって、留め具付カバー１を開口３００から引き抜く方向に移動させたとしても、腕部１４は壁部３０の内側に接触する。これにより、腕部１４は、留め具付カバー１が開口３００から抜け落ちることを防止する。
【００２４】
（留め具付カバーの抜き取り動作）
図３及び図４は、本実施の形態に係る留め具付カバーを所定の機器の開口から抜き取るプロセスの一例を示す。また、図５は、本実施の形態に係る留め具付カバーの各部の寸法の関係の一例を示す。
【００２５】
まず、図３（ａ）に示すように、留め具付カバー１を開口３００から抜き取る方向に移動させる。この場合、腕部１４は本体部１０に対して所定の角度θだけ傾いているので、腕部１４が開口３００の幅より広く広がり、留め具付カバー１を壁部３０から抜き取ることはできない。次に、図３（ｂ）に示すように、留め具付カバー１を開口３００へのループ部１１の挿入方向及び抜き取り方向とは異なる方向（例えば、挿入方向及び抜き取り方向と垂直方向）にスライド移動させる。これにより、本体部１０が圧縮され、一方の腕部１４の湾曲部１４２が開口３００内に移動する。ここで湾曲部１４２は円弧部分を有しているので、湾曲部１４２は、腕部１４を開口３００内壁に沿ってスムーズに移動させる。
【００２６】
ここで、図５に示すように、第１本体部１０ａの幅ｌ２と、第２本体部１０ｂの幅ｌ３と、腕部１４の端部１４０からループ部１１の本体部１０までの距離ｌ１との合計が、所定の機器の開口の幅Ｌ以下を満たす寸法を有して留め具付カバー１は形成される。このような寸法を満たすことにより、留め具付カバー１を開口３００に対してスライド移動させると、腕部１４が開口３００内に移動することになる。
【００２７】
次に、図３（ｃ）に示すように、壁部３０と本体部１０との接触部分である脇部１４４を起点にして留め具付カバー１を回転させる。これにより、一方の腕部１４が壁部３０から外れる。そして、更に脇部１４４を回転中心として留め具付カバー１を回転させると、図４（ａ）に示すように、先端部１２が壁部３０から外れる。これにより、図４（ｂ）に示すように、留め具付カバー１を壁部３０から取り外すことができる。ここで、図５に示すように、腕部１４の脇部１４４から先端部１２の先端部分（脇部１４４から、円弧の中心を通って、対向する位置）までの距離ｌ４は、開口３００の幅Ｌと同等（同一および略同一の概念を含む）の長さを有して形成することが好ましい。
【００２８】
なお、先端部１２は平面視にて円弧形状を有するので、先端部１２は開口３００を滑らかに移動する。また、ループ部１１及び先端部１２は内部に空間１８を含むと共に弾性を有する材料から形成されているので、開口３００を通過する際にループ部１１及び先端部１２が変形したとしても、留め具付カバー１を壁部３０から取り外した後、ループ部１１及び先端部１２は元の形状に復帰する。
【００２９】
（留め具付カバー１の使用例）
図６は、本実施の形態に係る留め具付カバーを用いたカーナビゲーション装置の一例を示す。
【００３０】
カーナビゲーション装置５には、音楽データ、画像データ、地図データ等の様々なデータを所定の記録媒体を介して読み込ませることができる。例えば、図６（ａ）に示すように、カーナビゲーション装置５がメディア挿入孔５０及びメディア挿入孔５２を備えている場合を説明する
【００３１】
例えば、メディア挿入孔５２には、音楽データが記録されたＳＤカード等の記録媒体が挿入される。一方、メディア挿入孔５０には、例えば、カーナビゲーション装置５が用いる地図データが記録されたＳＤカード等の記録媒体が挿入される。ここで、音楽データが記録された記録媒体は、地図データが記録された記録媒体に比べ、メディア挿入孔５２に頻繁に抜き差しされる。一方、地図データが記録された記録媒体は、音楽データが記録された記録媒体に比べ、メディア挿入孔５０への抜き差し回数は少ない。
【００３２】
このような場合において、本実施の形態に係る留め具付カバー１は、メディア挿入孔５０を覆う位置に設けられる。すなわち、留め具付カバー１は、記録媒体の抜き差しの頻度が所定の頻度以下であるメディア挿入孔を覆う位置に設けられる。そして、例えば、図６（ｂ）に示すように、留め具付カバー１のカバー部２０をカーナビゲーション装置５から外すことによりメディア挿入孔５０が外部に露出されるので、この状態でメディア挿入孔５０に所定の記録媒体を挿入及び取り外しをすることができる。なお、この場合、留め具付カバー１は、開口３００に対してスライド移動させていないので開口３００に片持ち状態で保持されており、容易にメディア挿入孔５０を再び覆うことができる。カバー部２０によりメディア挿入孔５０を覆う場合、カバーロック部２２は開口３０５に挿入され、留め具付カバー１をカーナビゲーション装置５に固定する。
【００３３】
（実施の形態の効果）
本実施の形態に係る留め具付カバー１は、弾性を有する材料を用いると共にループ部１１の内部に空間１８を有して構成されるので柔軟性を有する。したがって、ループ部１１を所定の機器の開口に挿入した場合にループ部１１が圧縮若しくは折り畳まれたとしても、ループ部１１は塑性変形しない。これにより、留め具付カバー１を容易に再利用することができる。そして、留め具付カバー１は、所定の機器の開口の幅に対して予め定められた形状及び寸法を有するループ部１１を備えるので、当該機器の開口に容易に挿入できると共に容易に抜き取ることもできる。
【００３４】
すなわち、留め具付カバー１は、弾性を有する材料を用いてループ部１１を構成すると共にループ部１１の外方向に伸びる腕部１４を備えているので、ループ部１１を所定の機器の開口に挿入した場合に、当該開口から留め具付カバー１が容易に外れることを防止できる。また、留め具付カバー１を当該開口から取り外す場合、当該開口からループ部１１を引き抜く動作と当該開口に対しループ部１１をスライド移動させる動作とを組み合わせることで、留め具付カバー１を当該機器から容易に取り外すことができる。
【００３５】
更に、留め具付カバー１は、所定の機器から取り外す動作を実行する場合に、引き抜き動作と回転動作との二段階動作を要するので、留め具付カバー１を所定の機器から誤って抜き取ることを防止できる。
【００３６】
（実施の形態の変形例）
図７は、本実施の形態の変形例に係る留め具付カバーの平面図の一例を示す。
【００３７】
変形例に係る各留め具付カバーはそれぞれ、本実施の形態に係る留め具付カバー１とは、先端部の形状が異なる点を除き留め具付カバー１と略同一の構成及び機能を有する。したがって、相違点を除き詳細な説明は省略する。
【００３８】
図７（ａ）に示すように、変形例に係る留め具付カバー１ａは、平面視にて、四角形状の一部を含む先端部１２ａを有して形成される。また、図７（ｂ）に示すように、他の変形例に係る留め具付カバー１ｂは、平面視にて三角形状の一部を含む先端部１２ｂを有して形成される。更に、図７（ｃ）に示すように更に他の変形例に係る留め具付カバー１ｃは、平面視にて、Ｍ字形状の一部を含む先端部１２ｃを有して形成される。すなわち、図７（ａ）乃至図７（ｃ）の変形例に係る留め具付カバーはそれぞれ、平面視にて、直線部分を含んで形成される。
【００３９】
また、図７（ｄ）に示すように、更に他の変形例に係る留め具付カバー１ｄは、互いに長さの異なる腕部１４ａと腕部１４ｂとを有して形成される。すなわち、留め具付カバー１ｄにおいては、腕部１４ａと腕部１４ｂとは、中心軸２００に対して非対称に設けられる。
【００４０】
また、図７（ｅ）に示すように、更に他の変形例に係る留め具付カバー１ｅは、先端部１３に凹み形状の凹み部１３ａが形成される。この場合、先端部１３の凹み部分と本体部１０とで空間１８が形成される。そして、先端部１３を所定の機器の開口に挿入すると、当該開口の幅に応じて凹み部１３ａが圧縮されて開口にループ部１１が挿入される。
【００４１】
図８は、本実施の形態の更に他の変形例に係る留め具付カバーの一例を示す。
【００４２】
本変形例に係る留め具付カバーは、本実施の形態に係る留め具付カバー１とは、本体部１０及び先端部１２のカバー部２０への取り付け方向が異なる点を除き留め具付カバー１と略同一の構成及び機能を有する。したがって、相違点を除き詳細な説明は省略する。
【００４３】
留め具付カバー１ｆにおいては、本体部１０及び先端部１２は、カバー部２０と同一平面方向に伸びる方向に設けられる。すなわち、図８（ａ）に示すように、留め具付カバー１ｆにおいては、カバー部２０の端部２０ｂにおいて、カバー部２０の表面２０ａの法線方向に垂直方向に本体部１０及び先端部１２は伸びて設けられる。
【００４４】
したがって、図８（ｂ）に示すように、本発明の実施の形態に係る留め具付カバー１においては、所定の機器の壁部３０表面の法線方向に沿った方向に抜き差しするところ、留め具付カバー１ｆは、当該法線方向に垂直方向に設けられる開口３１０に対して抜き差しすることができる。
【００４５】
図９は、本実施の形態の更に他の変形例に係る留め具付カバーの一例を示す。
【００４６】
本変形例に係る留め具付カバーはそれぞれ、カバー部２０に対して複数のループ部１１が設けられている点を除き留め具付カバー１と略同一の構成及び機能を有する。したがって、相違点を除き詳細な説明は省略する。
【００４７】
図９（ａ）に示すように、留め具付カバー１ｇは、カバー部２０に複数のループ部１１が設けられている。留め具付カバー１ｇにおいては２つのループ部１１が設けられており、側面視にて、一方のループ部１１とカバー部２０と他方のループ部１１とでコの字形状を呈する。なお、留め具付カバー１ｇは、２つ以上のループ部１１を備えることもできる。
【００４８】
また、図９（ｂ）に示すように、カバー部２０の形状は、平面視にて長方形状であってよい。そして、この場合、カバー部２０の一方の端部の近傍と他方の端部の近傍とのそれぞれにループ部１１が設けられる。留め具付カバー１ｈにおいては、側面視にて、２つのループ部１１とカバー部２０とでＬ字形状を呈する。なお、留め具付カバー１ｈは、２つ以上のループ部１１を備えることもできる。
【００４９】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【符号の説明】
【００５０】
１、１ａ、１ｂ、１ｃ、１ｄ、１ｅ、１ｆ、１ｇ、１ｈ  留め具付カバー
５  カーナビゲーション装置
１０  本体部
１０ａ  第１本体部
１０ｂ  第２本体部
１１  ループ部
１２、１２ａ、１２ｂ、１２ｃ  先端部
１３  先端部
１３ａ  凹み部
１４、１４ａ、１４ｂ  腕部
１６  ロック部
１８  空間
２０  カバー部
２０ａ  表面
２０ｂ  端部
２２  カバーロック部
３０  壁部
５０、５２  メディア挿入孔
１４０  端部
１４２  湾曲部
１４４  脇部
２００  中心軸
３００、３０５、３１０  開口
【図１】
2014204060.tif 000003
【図２】
2014204060.tif 000004
【図３】
2014204060.tif 000005
【図４】
2014204060.tif 000006
【図５】
2014204060.tif 000007
【図６】
2014204060.tif 000008
【図７】
2014204060.tif 000009
【図８】
2014204060.tif 000010
【図９】
2014204060.tif 000011